(57)【要約】      （修正有）【課題】霧化ユニットを装置本体から取り外すことでメンテナンス性の向上を図るとともに、霧化した消臭液を効率良く室内空間に噴霧することができる空気清浄装置を提供する。【解決手段】空気清浄装置は、空気清浄フィルタ１１が装着された第１開口２３からファン１３に向かう第１空気通路、第２開口２４からファン１３に向かう第２空気通路、第１空気通路及び第２空気通路をファン１３に選択的に連通させる可動板２２、霧化ユニット３０を備え、霧化ユニット３０は、空気清浄装置に着脱可能に装着されるとともに、除菌消臭液を霧状にして第２空気通路に供給するミスト供給口がファン１３近傍に位置するように設けられている。【選択図】図３
0003148682.tif 000002
【実用新案登録請求の範囲】
【請求項１】
塵埃を除去するフィルタが取り付けられた第１開口からファンへ向かう第１空気通路と、第２開口から前記ファンへ向かう第２空気通路と、前記第１空気通路および前記第２空気通路を前記ファンに選択的に連通させる可動板と、を有する装置本体を備えた空気清浄装置であって、
前記第２空気通路に連通するように設けられた供給口から霧状にした消臭液を供給する霧化ユニットを備え、
前記霧化ユニットは、前記装置本体に着脱可能に装着されるとともに、前記装置本体に装着されたときに前記供給口が前記ファン近傍に位置するように設けられている、
空気清浄装置。
【請求項２】
前記霧化ユニットは、前記消臭液を貯留する貯留部を有し、
前記貯留部には、前記消臭液の液面の高さを検知する被検知手段と消臭液を霧状にする霧化手段が設けられ、
前記装置本体は、前記霧化ユニットを前記装置本体に装着したときに前記被検知手段の変位を検知する検知手段と、前記霧化手段の霧化処理を制御する制御部とを備え、
前記制御部は、前記検知手段を介して前記貯留部に貯留されている前記消臭液の液面の高さを検知し前記検知した高さが所定の範囲から外れた場合には前記霧化処理を停止させる、
請求項１に記載の空気清浄装置。
【請求項３】
前記霧化ユニットは、前記供給口近傍の空気流れを乱すための板状部材を有している、
請求項１または２に記載の空気清浄装置。
【請求項４】
前記板状部材は、ステンレスから成る部材である、
請求項１から３のいずれか１項に記載の空気清浄装置。
【考案の詳細な説明】
【技術分野】
【０００１】
この考案は、室内空間に浮遊する塵埃を除去する空気清浄装置に関する。
【背景技術】
【０００２】
一般に、空気清浄装置では、室内空間に浮遊する塵埃を取り除くフィルタが備えられており、内蔵するファンによってフィルタから排気口へ向かう空気流れを生成し空気清浄運転を行っている。
【０００３】
このような、空気清浄装置の中には、室内空間に浮遊する塵埃を取り除く機能とともに、霧化ユニットによって消臭液を霧化し室内空間に拡散させて室内空間の消臭を行う機能を備えたものもある（例えば、特許文献１）。
【特許文献１】特開２００６−２１２号公報
【考案の開示】
【考案が解決しようとする課題】
【０００４】
しかし、上記特許文献１に示す空気清浄装置では、装置本体内に霧化ユニットが固定して設けられていたため、霧化ユニット内のお手入れがやり難くメンテナンス性の点から問題であった。
【０００５】
この考案の目的は、霧化ユニットを装置本体から取り外すことでメンテナンス性の向上を図るとともに、霧化した消臭液を効率良く室内空間に噴霧することができる空気清浄装置を提供することにある。
【課題を解決するための手段】
【０００６】
この考案は、塵埃を除去するフィルタが取り付けられた第１開口からファンへ向かう第１空気通路と、第２開口からファンへ向かう第２空気通路と、第１空気通路および第２空気通路をファンに選択的に連通させる可動板とを有する装置本体を備えた空気清浄装置である。空気清浄装置は、第２空気通路に連通するように設けられた供給口から霧状にした消臭液を供給する霧化ユニットを備えている。霧化ユニットは、装置本体に着脱可能に装着されるとともに、装置本体に装着されたときに供給口がファン近傍に位置するように設けられている。
【０００７】
この構成において、霧化ユニットは、装置本体に着脱可能に装着され、その供給口はファン近傍に位置するように設けられている。このため、霧化ユニットを装置本体から取り外すことができる。また、霧化ユニットは、装置本体に装着されたときに供給口がファン近傍に位置するように設けられている。このため、霧状の消臭液を第２空気通路内に生成される空気流れのうち比較的流速が速い位置の空気流れに供給することができる。
【考案の効果】
【０００８】
この考案によれば、霧化ユニットのメンテナンス性の向上を図るとともに、霧化した消臭液を室内空間に効率良く供給することができる。
【考案を実施するための最良の形態】
【０００９】
図１は、この考案の実施形態に係る空気清浄装置（装置本体）１００の外観図である。図２は、空気清浄装置１００の内部構成を示す図である。
【００１０】
空気清浄装置１００は、前面パネル１０、ファン１３、筐体２０、可動板２２、霧化ユニット３０、操作入力部５０、制御部６０、検知センサ７０（検知手段）等を備えている。
【００１１】
前面パネル１０は、筐体２０の前面側を被覆している。前面パネル１０は、左右の側端に沿って筐体２０との間に空気を取り込む隙間が設けられている。
【００１２】
筐体２０は、前面に第１開口２３及び第２開口２４が設けられ、背面側上部に排気口１４が設けられている。第１開口２３の背面側には環状を呈する吸気口２５が設けられている。吸気口２５の前面側はその下部を除いて遮蔽パネル２１に被覆されている。
【００１３】
ファン１３は、吸気口２５の背面側に配置されたシロッコファンであり、吸気口２５の中央に取り付けられた駆動モータ１３Ａに回転駆動される。ファン１３は、第１開口２３及び第２開口２４から排気口１４に向かう空気流れを生成する。
【００１４】
図３は、空気清浄装置１００内部の空気通路の構成を模式的に示す図である。
【００１５】
第１開口２３には、空気清浄フィルタ１１が着脱自在に嵌め込まれている。これにより、空気中の塵埃を除去することができる。
【００１６】
第２開口２４には、活性炭フィルタ１２が着脱自在に嵌め込まれている。これにより、空気中のタバコ等の臭いを除去することができる。なお、活性炭フィルタ１２を設けないものとしても良い。
【００１７】
第１開口２３からファン１３に連通する空気通路が、本発明の第１空気通路に相当する。第２開口２４からファン１３に連通する空気通路が、本発明の第２空気通路に相当する。
【００１８】
霧化ユニット３０は、活性炭フィルタ１２に面する位置に配置されており、ミスト化した除菌消臭液をファン１３に向かって流れる空気流れに供給する。
【００１９】
霧化ユニット３０は、その上部に溶液タンク３１を着脱自在に搭載しており、溶液タンク３１を搭載した状態のままで筐体２０から着脱可能に設けられている。霧化ユニット３０を筐体２０から取り外す際には、左側面側へ霧化ユニット３０を引き抜く。これにより、霧化ユニット３０を空気清浄装置１００から取り外すことができるので、霧化ユニット３０のお手入れを容易に行うことができる。
【００２０】
なお、本実施形態では、霧化ユニット３０はミスト化した除菌消臭液をファン１３に供給しているが、除菌消臭液の代わりに芳香消臭液をファン１３に供給するものとしても良いし、消臭液をファン１３に供給するものとしても良い。
【００２１】
可動板２２は、吸気口２５の前面側に設けられており、第１開口２３を吸気口２５に連通させる２点鎖線で示す位置と第２開口２４を吸気口２５に連通させる１点鎖線で示す位置のいずれかに変位する。これにより、空気流れを切り替えることができる。また、第２開口２４が吸気口２５に連通しているときには、可動板２２によって第１開口２３からファン１３に向かう空気通路が遮断される。このため、霧化ユニット３０で生成されるミスト化した除菌消臭液が第１開口２３側に流入して空気清浄フィルタ１１に付着することを防ぐという効果もある。
【００２２】
排気口１４には、図示しない空気流れを切り替える方向切り替え板が複数枚並べて設けられている。これにより、排気される空気の流れを切り替えることができる。
【００２３】
図４は、空気清浄装置１００の左側面の外観図である。
【００２４】
霧化ユニット３０は、溶液タンク３１を有しており、筐体２０の左側面に着脱可能に取り付けられている。
【００２５】
霧化ユニット３０の左側面、すなわち、筐体２０に霧化ユニット３０を取り付けたときに外側に露出する側面には、摘み易い距離を設けて四角形状の窪み３０Ａ、３０Ｂが設けられている。これにより、霧化ユニット３０の取り外しを容易なものとしている。
【００２６】
図５は、溶液タンク３１を搭載した霧化ユニット３０を空気清浄装置１００から取り外した状態を示す図である。図６は、図５に示す霧化ユニット３０の内部構成を示す図である。なお、図６では、簡単の為、キャップ３２のミスト供給口３２Ａ周辺の構成については図示を諸略して示している。
【００２７】
霧化ユニット３０は、溶液タンク３１を着脱自在に搭載するマウント部３０Ｃと、除菌消臭液を貯留する貯留部３０Ｄと、を有している。
【００２８】
マウント部３０Ｃには、溶液タンク３１が倒立状態で搭載され、溶液タンク３１からマウント部３０Ｃ内の液面の高さが予め設定された高さとなるように除菌消臭液が供給される。
【００２９】
マウント部３０Ｃの底部には窪み３０Eが設けられており、その底面に貫通孔３０Fが設けられている。貫通孔３０Ｆは、連通パイプ３０Ｇを介して貯留部３０Ｄの底面に設けられた貫通孔３０Ｊに接続されている。
【００３０】
窪み３０Ｅを設けて容積を拡張することで、霧化ユニット３０が傾斜したときに連通パイプ３０Ｇを介して貯留部３０Ｄ側に溶液が流出してもマウント部３０Ｃ内の液面の変位を低減し、溶液タンク３１から過剰に量の除菌消臭液が供給されるのを抑制することができる。
【００３１】
貯留部３０Ｄは、ミスト生成部（霧化手段）３０Ｈ、キャップ３２、被検知部材（被検知手段）３３を有している。
【００３２】
ミスト生成部３０Ｈは、超音波振動子と超音波振動子を覆うカバー部材から構成され、貯留部３０Ｄの底面に設けられている。なお、本実施形態では、ミスト生成部３０Hは超音波振動子等から構成されている例を挙げている、本発明はこれに限定されるものではない。例えば、液体をミスト化させるノズル等を用いてに除菌消臭液のミストを生成するものとしても良い。
【００３３】
被検知部材３３は、キャップ３２の上部に設けられた十文字を呈する貫通孔３２Ｂに上下方向に変位可能に挿嵌されている。被検知部材３３は、断面が貫通孔３２Ｂよりも一回り小さい十文字状に形成されている。これにより、被検知部材３３を上下方向に移動可能に遊挿している。被検知部材３３は、下端部にフロート３３Ａが設けられており、上端部には検知板３３Ｂが設けられている。これにより、貯留部３０Ｄに貯留される除菌消臭液の液面の変位に応じて被検知部材３３が上下方向に変位する。
【００３４】
霧化ユニット３０を空気清浄装置１００に装着したときに検知板３３Ｂの上下方向の変位を検知する位置に検知センサ７０が設けられている。これにより、検知板３３Ｂの上下方向の変位を検知センサ７０により検知することができる。
【００３５】
図７は、上面視におけるキャップ３２の外観図である。図８は、キャップ３２の内部構成を示す模式図である。
【００３６】
キャップ３２は、貯留部３０Ｄの上部を被覆する。キャップ３２は、貯留部３０Ｄに着脱自在に取り付けられている。
【００３７】
キャップ３２の吸気口２５の直下方に位置する上端部には、ミスト供給口３２Ａが設けられている。このため、空気流れの流速が比較的速い位置にミスト化した除菌消臭液を供給しすることができる。これにより、ミスト化した除菌消臭液をスムーズに空気流れに供給し、室内空間に噴霧させることができる。
【００３８】
キャップ３２は、ミスト供給口３２Ａから供給されるミストの粒径を比較的小さいものにするための板状部材３２Cを有している。板状部材３２Cは、略L字状を呈し下方に傾斜し、ミスト供給口３２Ａに通じる空気通路を狭めるように設けられている。これにより、ミスト供給口３２Ａへ向かう空気流れを乱すことができる。このため、比較的粒径の大きいミストは、板状部材３２Cにぶつかって付着する。また、板状部材３２Cの一端を下方に傾斜させることでスムーズに下方の貯留部３０Dに除菌消臭液を戻すことができる。
【００３９】
また、板状部材３２Cは、ステンレス材からなる部材である。一般的にステンレス材は樹脂材よりも熱伝導率が高い。また、樹脂材よりもその周囲の空気流れによって冷却され易い。このため、周囲の空気流れに含まれるミストから効率良く熱を奪い板状部材３２Ｃの表面に結露させることができるという効果もある。
【００４０】
なお、本実施形態では、板状部材３２Ｃはステンレス材を用いる例を挙げているが、装置の仕様に応じて他の金属部材や樹脂部材で代用するものとしても良い。また、ミストの粒径を均す必要がなければ板状部材３２Ｃを用いなくとも良い。但し、本実施形態のように、板状部材３２Ｃを用いてミストの粒径の均す方がより好適である。
【００４１】
図９は、制御部６０による各部の制御処理の構成を示すブロック図である。
【００４２】
制御部６０は、操作入力部５０の直下方に内蔵されており、操作入力部５０からの設定操作に基づいて空気清浄装置１００を制御する。
【００４３】
制御部６０は、検知センサ７０の検知する貯留部３０Ｄ内の液面の位置が予め設定された範囲から外れている場合には、ミスト生成部３０における除菌消臭液のミスト化処理を停止させる。これにより、除菌消臭液がなくなっているときに超音波振動子を駆動し超音波振動子が過熱することを防止している。
【００４４】
なお、本実施形態では、制御部６０は、液面の位置が予め設定された範囲から外れているときには、ミスト生成部３０のミスト化処理を停止する例を挙げているが、本発明は、これに限定されるものではない。例えば、ミスト化処理の停止とともに、操作入力部５０に設けられているランプ等を点滅させて異常が発生していることを報知するものとしておも良い。これにより、例えば、液面の位置が予め設定された範囲以上に高くなっている場合には、貯留している除菌消臭液が溢れ出す前にユーザに異常を知らせることもできる。
【００４５】
制御部６０は、空気清浄運転モード、除菌消臭運転モード、休止運転モードをこの順に繰り返すように各部を駆動制御する。
【００４６】
空気清浄運転モードでは、制御部６０は、駆動モータＭを駆動して可動板２２を図３に２点鎖線で示す位置に変位させる。さらに、制御部６０、駆動モータ１３Ａを回転駆動して空気清浄フィルタ１１からファン１３を経由して排気口１４へ向かう空気流れを生成する。
【００４７】
除菌消臭運転モードでは、制御部６０は、駆動モータＭを駆動して可動板２２を図３に１点鎖線で示す位置に変位させる。さらに、制御部６０は、駆動モータ１３Ａを回転駆動し活性炭フィルタ１２からファン１３を経由して排気口１４へ向かう空気流れを生成する。また、制御部６０は、ミスト生成部３０Ｈに除菌消臭液をミスト化させる。これにより、空気流れにミスト化した除菌消臭液が供給される。
【００４８】
なお、制御部６０は、ミスト生成部３０Ｈにおける除菌消臭液のミスト化処理を検知センサ７０を介して検知される液面の高さに応じて切り替えるものとしても良い。具体的には、除菌消臭液の液面の高さごとにミスト生成部３０Ｈを駆動する駆動電圧を変化させたときのミスト生成量を予め制御部６０に記憶させておくことが考えられる。この場合には、制御部６０は、検知センサ７０の検知する液面の高さに応じて駆動電圧を切り替えミスト発生量を液面の高さに最適なものとすることができる。
【００４９】
休止運転モードでは、制御部６０は、駆動モータＭ、１３Ａの駆動を停止制御するとともに、ミスト生成部３０Ｈの駆動を停止する。これにより、除菌消臭運転モードで室内空間に拡散された除菌消臭液が床や壁面に付着するまでの間、空気清浄運転モードの実行を停止することができる。このため、空気中に拡散されたミスト化した除菌消臭液が空気清浄フィルタ１１に付着するのを防止することができる。
【００５０】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００５１】
【図１】この考案の実施形態に係る空気清浄装置１００の外観図である。
【図２】空気清浄装置の内部構成を示す図である。
【図３】空気清浄装置内部の空気通路の構成を模式的に示す図である。
【図４】空気清浄装置の左側面の外観図である。
【図５】溶液タンクを搭載した状態の霧化ユニットを空気清浄装置から取り外した状態を示す図である。
【図６】霧化ユニットの内部構成を示す図である。
【図７】上面視におけるキャップの外観図である。
【図８】キャップの内部構成を示す模式図である。
【図９】制御部による各部の制御処理の構成を示すブロック図である。
【符号の説明】
【００５２】
１００    空気清浄装置（装置本体）
１１    空気清浄フィルタ
１２    活性炭フィルタ
１３    ファン
２２    可動板
２３    第１開口
２４    第２開口
３０    霧化ユニット
３２Ａ  ミスト供給口
【図１】
0003148682.tif 000003
【図２】
0003148682.tif 000004
【図３】
0003148682.tif 000005
【図４】
0003148682.tif 000006
【図５】
0003148682.tif 000007
【図６】
0003148682.tif 000008
【図７】
0003148682.tif 000009
【図８】
0003148682.tif 000010
【図９】
0003148682.tif 000011